(57)【要約】      （修正有）【課題】孔が設けられた電極を備える静電型スピーカにおいて、放電が発生しにくく大きな音圧が得られるようにする。【解決手段】静電型スピーカ１においては、振動体１０の縁が、対向した電極２０Ｕの導電層２２Ｕと電極２０Ｌの導電層２２Ｌとの間の空間より外側に位置し、振動体１０の縁から導電層までのギャップ長を長くでき、振動体１０の縁部分と導電層との間の限界電圧が振動体１０の平面部分と導電層の平面部分との間の限界電圧とを同じ程度にすることが可能となり、振動体１０の縁部分と導電層との間の放電の発生を抑制する。併せて振動体１０は、導電層１１の両側に絶縁層１２が設けられた構造になっているため、振動体の導電層と電極の導電層との間の放電の発生を抑制する。【選択図】図３
2017050709.tif 000002
【特許請求の範囲】
【請求項１】
絶縁性の基材層と、当該基材層の一方の面に設けられた第１導電層と、当該基材層及び当該第１導電層を貫通する孔とを有する第１電極と、
絶縁性の基材層と、当該基材層の一方の面に設けられた第２導電層と、当該基材層及び当該第２導電層を貫通する孔とを有し、前記第１電極に対向して離間配置された第２電極と、
前記第１電極と前記第２電極との間において、前記第１電極及び前記第２電極のそれぞれと離間配置された振動体であって、導電層と、当該導電層の両側に設けられた絶縁層とを有する振動体と
を備え、
前記振動体の縁は、対向する前記第１電極の第１導電層及び前記第２電極の第２導電層の間の空間外に位置すること
を特徴とする静電型スピーカ。
【請求項２】
前記振動体において、対向する前記第１電極の導電層及び前記第２電極の導電層の間の空間外に位置する領域には、前記絶縁層と前記導電層とが接着されていない部分が含まれる
ことを特徴とする請求項１に記載の静電型スピーカ。
【請求項３】
前記第１電極の第１導電層が、当該記第１電極の基材層よりも前記振動体に近い側に設けられており、
前記第２電極の第２導電層が、当該第２電極の基材層よりも前記振動体に近い側に設けられている
ことを特徴とする請求項１に記載の静電型スピーカ。
【請求項４】
前記第１電極の第１導電層が、当該記第１電極の基材層よりも前記振動体から遠い側に設けられており、
前記第２電極の第２導電層が、当該第２電極の基材層よりも前記振動体から遠い側に設けられている
ことを特徴とする請求項１に記載の静電型スピーカ。
【請求項５】
前記第１電極又は前記第２電極のうち一方の電極が有する前記第１導電層又は前記第２導電層が、当該一方の電極が有する基材層よりも、前記振動体に近い側に設けられており、
前記第１電極又は前記第２電極のうち他方の電極が有する前記第１導電層又は前記第２導電層が、当該他方の電極が有する基材層よりも、前記振動体に遠い側に設けられている
ことを特徴とする請求項１に記載の静電型スピーカ。
【発明の詳細な説明】
【技術分野】
【０００１】
本発明は、静電型スピーカに関する。
【背景技術】
【０００２】
静電型スピーカは、対向するように離間配置された２枚の電極と、この２枚の電極の間に挿入された導電性の振動体とを備えている。振動体に所定のバイアス電圧を印加した状態で電極に対する印加電圧を変化させると、振動体に作用する静電力が変化し、これにより振動体が変位する。この印加電圧を音響信号に応じて変化させると振動体が変位を繰り返し（すなわち振動し）、音響信号に応じた音響波が振動体から発生する。発生した音響波は電極に空けられた孔を通り抜けて外部へ放射される。
【０００３】
静電型スピーカの振動体は、その厚さが数μｍから数十μｍと非常に薄く、導電性を有する金属の薄膜層がその全面に形成されているため、その縁部分が鋭くなっていて針電極と同様になっている。このような振動体を２枚の電極間に配置すると、縁部分で強い電場が発生し、電極の面同士が対向している部分と比較して放電が起こりやすくなる。静電型スピーカにおいては、振動体を振動させるために電極に高電圧をかける必要があるが、このように放電が起こりやすい状態では、電極に高電圧をかけることが難しくなる。そして、電極に高電圧をかけられないと、振動体に作用する静電力が弱くなるため、振動体の変位量も小さくなり大きな音圧を得られなくなる。
【０００４】
そこで、特許文献１には、電極を振動体よりも小さくして上記のような放電の問題を解決するための仕組みが開示されている。
【先行技術文献】
【特許文献】
【０００５】
【特許文献１】特開２０１０−１６６０３号公報
【発明の概要】
【発明が解決しようとする課題】
【０００６】
ところで、前述したように電極には孔が開いているから、振動体の縁部分や振動体の導電層と電極との間で、この孔を経由した放電現象が起こる可能性がある。
【０００７】
本発明は、上述した背景の下になされたものであり、孔が設けられた電極を備える静電型スピーカにおいて、放電が発生しにくく大きな音圧が得られるようにすることを目的とする。
【課題を解決するための手段】
【０００８】
上述した課題を解決するために本発明は、 絶縁性の基材層と、当該基材層の一方の面に設けられた第１導電層と、当該基材層及び当該第１導電層を貫通する孔とを有する第１電極と、 絶縁性の基材層と、当該基材層の一方の面に設けられた第２導電層と、当該基材層及び当該第２導電層を貫通する孔とを有し、前記第１電極に対向して離間配置された第２電極と、前記第１電極と前記第２電極との間において、前記第１電極及び前記第２電極のそれぞれと離間配置された振動体であって、導電層と、当該導電層の両側に設けられた絶縁層とを有する振動体とを備え、前記振動体の縁は、対向する前記第１電極の第１導電層及び前記第２電極の第２導電層の間の空間外に位置することを特徴とする静電型スピーカを提供する。
【０００９】
前記振動体において、対向する前記第１電極の導電層及び前記第２電極の導電層の間の空間外に位置する領域には、前記絶縁層と前記導電層とが接着されていない部分が含まれていてもよい。
【００１０】
前記第１電極の第１導電層が、当該記第１電極の基材層よりも前記振動体に近い側に設けられており、
前記第２電極の第２導電層が、当該第２電極の基材層よりも前記振動体に近い側に設けられていてもよい。
【００１１】
前記第１電極の第１導電層が、当該記第１電極の基材層よりも前記振動体から遠い側に設けられており、前記第２電極の第２導電層が、当該第２電極の基材層よりも前記振動体から遠い側に設けられていてもよい。
【００１２】
前記第１電極又は前記第２電極のうち一方の電極が有する前記第１導電層又は前記第２導電層が、当該一方の電極が有する基材層よりも、前記振動体に近い側に設けられており、前記第１電極又は前記第２電極のうち他方の電極が有する前記第１導電層又は前記第２導電層が、当該他方の電極が有する基材層よりも、前記振動体に遠い側に設けられていてもよい。
【発明の効果】
【００１３】
本発明によれば、孔が設けられた電極を備える静電型スピーカにおいて、放電が発生しにくくなり、大きな音圧が得られる。
【図面の簡単な説明】
【００１４】
【図１】本発明の一実施形態に係る静電型スピーカの外観図である。
【図２】実施形態に係る静電型スピーカの分解斜視図である。
【図３】実施形態に係る静電型スピーカの断面と電気的構成の模式図である。
【図４】実施形態に係る静電型スピーカの平面図である。
【図５】比較例としての静電スピーカの断面図である。
【図６】実施形態及び変形例に係る静電スピーカの断面図である。
【発明を実施するための形態】
【００１５】
図１は本発明の一実施形態に係る静電型スピーカ１の外観を模式的に示した図、図２は静電型スピーカ１の分解斜視図、図３は静電型スピーカ１の平面図、図４は静電型スピーカ１の断面及び電気的構成を模式的に示した図である。 静電型スピーカ１は、図１，２に示すように、振動体１０、電極２０Ｕ，２０Ｌ及び弾性部材３０Ｕ，３０Ｌを有しており、これらがＺ軸方向に積層された構造となっている。本実施形態においては、電極２０Ｕ，２０Ｌの構成は同じであり、また弾性部材３０Ｕ，３０Ｌの構成も同じであるため、各部材において両者を区別する必要が特に無い場合は「Ｕ」及び「Ｌ」の記載を省略する。また、電極２０Ｕの構成要素の符号には「Ｕ」を付し、電極２０Ｌの構成要素の符号には「Ｌ」を付す。また、図中の各構成要素の寸法は、構成要素の形状を容易に理解できるように実際の寸法とは異ならせてある。また、図中、「○」の中に「・」が記載されたものは図面の裏から表に向かう矢印を意味するものとする。
【００１６】
（静電型スピーカ１の各部の構成）
まず、静電型スピーカ１を構成する各部について説明する。図３に示すように、振動体１０は、導電層１１の両側に絶縁層１２が設けられた平面状の部材であり、Ｚ軸と平行な方向で見たときに矩形の形状となっている。導電層１１は、例えば金属などの導電性を有する物質を含む層である。絶縁層１２は、絶縁性を有する物質を含む層であり、例えばＰＥＴ（polyethylene terephthalate、ポリエチレンテレフタレート）又はＰＰ（polypropylene、ポリプロピレン）などの合成樹脂のフィルムである。
【００１７】
弾性部材３０は、例えば不織布であって、電気を通さず空気及び音の通過が可能な平面状の部材であり、Ｚ軸と平行な方向で見たときに矩形の形状となっている。弾性部材３０は、さらに弾性を有しており、外部から力を加えられると変形し、外部から加えられた力が取り除かれると元の形状に戻る。つまり弾性部材３０は、絶縁性があり、音が透過し、さらに弾性がある部材であればよく、例えば中綿に熱を加えて圧縮したもの、織られた布、絶縁性を有する合成樹脂を海綿状にしたものなどであってもよい。
【００１８】
電極２０は、例えばＰＥＴ又はＰＰなどの絶縁性を有する物質を含む材料を矩形の板状に加工した基材層２１と、金属などの導電性を有する物質によって基材層２１の一方の面に形成された矩形の導電層２２とで構成されている。図３に示すように、電極２０Ｕの導電層２２Ｕは基材層２１Ｕから見て弾性部材３０の反対側にあり、電極２０Ｌの導電層２２Ｌは基材層２１Ｌから見て弾性部材３０の反対側にある。この電極２０には、音響透過性を確保するために、電極２０の表面から裏面にかけて基材層２１及び導電層２２を貫通する複数の貫通孔２３が所定間隔でマトリクス状に設けられている（図１，２，４では貫通孔２３の図示を省略）。なお、基材層２１は絶縁性を有していればよく、例えば紙にエポキシ樹脂を含浸させたものや、ガラス繊維を重ねてエポキシ樹脂を含浸させたものなどであってもよい。
【００１９】
図１〜４に示すように、弾性部材３０のＸ軸方向の長さは電極２０Ｕ及び電極２０ＬのＸ軸方向の長さとほぼ同じであるが、振動体１０のＸ軸方向の長さよりも小さい。また、弾性部材３０のＹ軸方向の長さは電極２０Ｕ及び電極２０ＬのＹ軸方向の長さとほぼ同じであるが、振動体１０のＹ軸方向の長さよりも小さい。つまり、電極２０Ｕと振動体１０との間においても、電極２０Ｕの導電層２２Ｕの面積（ＸＹ平面に平行な領域の面積）は振動体１０の面積（ＸＹ平面に平行な領域の面積）より狭く、Ｚ軸と平行な方向で見ると電極２０Ｕの導電層２２Ｕの全面が振動体１０の縁より内側にある。同様に、電極２０Ｌと振動体１０との間においては、電極２０Ｌの導電層２２Ｌの面積（ＸＹ平面に平行な領域の面積）は振動体１０の面積（ＸＹ平面に平行な領域の面積）より狭く、Ｚ軸と平行な方向で見ると導電層２２Ｌの全面が振動体１０の縁より内側にある。
【００２０】
（静電型スピーカ１の電気的構成）
次に、静電型スピーカ１の電気的構成について説明する。図３に示すように、静電型スピーカ１は、変圧器５０と、外部から音響信号が入力される入力部６０と、振動体１０に対して直流バイアスを与えるバイアス電源７０とを備えたプッシュプル型の静電型スピーカである。バイアス電源７０は、振動体１０と変圧器５０の出力側の中点と接続されている。電極２０Ｕは変圧器５０の出力側の一端に接続され、電極２０Ｌは変圧器５０の出力側のもう一端に接続されている。変圧器５０の入力側は入力部６０に接続されている。入力部６０に音響信号が入力されると入力された音響信号に応じた電圧が電極２０に印加される。
【００２１】
（静電型スピーカ１の動作）
次に、静電型スピーカ１の動作について説明する。
入力部６０に音響信号が入力されると、入力された音響信号に応じた電圧が変圧器５０から電極２０Ｕの導電層２２Ｕと電極２０Ｌの導電層２２Ｌとに印加される。電極２０Ｕの導電層２２Ｕと電極２０Ｌの導電層２２Ｌとの間に電位差が生じると、電極２０Ｕと電極２０Ｌとの間にある振動体１０に対して、電極２０Ｕと電極２０Ｌのいずれかの側へ引き寄せられるような静電力が働く。
【００２２】
例えば、入力部６０に音響信号が入力されてこの音響信号が変圧器５０に供給され、電極２０Ｕの導電層２２Ｕにプラスの電圧が印加され、電極２０Ｌの導電層２２Ｌにマイナスの電圧が印加された場合、振動体１０にはバイアス電源７０によりプラスの電圧が印加されているため、振動体１０は、プラスの電圧が印加されている電極２０Ｕの導電層２２Ｕと反発する一方、マイナスの電圧が印加されている電極２０Ｌの導電層２２Ｌに引き寄せられ、電極２０Ｌ側（Ｚ軸負方向）へ変位する。
【００２３】
また、入力部６０に音響信号が入力されてこの音響信号が変圧器５０に供給され、電極２０Ｕの導電層２２Ｕにマイナスの電圧が印加され、電極２０Ｌの導電層２２Ｌにプラスの電圧が印加された場合、振動体１０はプラスの電圧が印加されている電極２０Ｌの導電層２２Ｌと反発する一方、マイナスの電圧が印加されている電極２０Ｕの導電層２２Ｕに引き寄せられ、電極２０Ｕ側（Ｚ軸正方向）へ変位する。
【００２４】
このように、振動体１０が音響信号に応じてＺ軸正方向又は負方向に変位し(撓み)、その変位方向が逐次変わることによって振動となり、その振動状態（振動数、振幅、位相）に応じた音が振動体１０から発生する。発生した音は、電極２０Ｕの貫通孔２３Ｕを通り抜けて静電型スピーカ１の外部に放射されるとともに、電極２０Ｌの貫通孔２３Ｌを通り抜けて静電型スピーカ１の外部に放射される。
【００２５】
（静電型スピーカ１の製造方法）
振動体１０を製造する際には、まず、絶縁性及び柔軟性を有するＰＥＴ又はＰＰなどの合成樹脂のフィルム（絶縁層１２）を基材とし、そのフィルムの一方の面に、導電性のある金属を蒸着或いは導電性塗料を塗布して導電層１１を形成する。そして、そのフィルムの他方の面に、絶縁性及び柔軟性を有するＰＥＴ又はＰＰなどの合成樹脂のフィルムを接着剤で接着し、これを絶縁層１２とする。また、例えば絶縁性及び柔軟性を有する合成樹脂のフィルム（絶縁層１２）を基材とし、フィルムの一方の面に導電性のある金属を蒸着或いは導電性塗料を塗布して導電層１１を形成したシートにおいて、導電層１１に接着剤を塗布し、導電層１１が内側になるように二つ折りして、対向する導電層１１同士を互いに接着する。これによっても、導電層１１の両側に絶縁層１２が設けられた振動体１０が製造可能である。
【００２６】
ただし、振動体１０において、対向する電極２０Ｕの導電層２２Ｕ及び電極２０Ｌの導電層２２Ｌの間の空間外に位置する領域には、導電層１１と、２つの絶縁層１２のうち少なくとも一方の絶縁層１２とが接着されていない部分が含まれる。例えば図４において、電極２０Ｕの導電層２２Ｕ及び電極２０Ｌの導電層２２Ｌの間の空間外に位置する、振動体１０の領域のうちの部分Ａ１（図の斜線部分、つまりＺ軸と平行な方向から見て振動体１０が電極２０Ｕの導電層２２Ｕ及び電極２０Ｌの導電層２２Ｌと重ならない領域のうちの一部）においては、接着剤が塗布されておらず、導電層１１と少なくとも一方の絶縁層１２とが接着されていない。この部分Ａ１は、後述するように導線を振動体１０に接続しやすくするために非接着状態とされている。なお、振動体１０において、電極２０Ｕの導電層２２Ｕ及び電極２０Ｌの導電層２２Ｌの間の空間外に位置する領域のうち、どの部分を非接着とするかは任意である。例えば図４では、矩形である振動体１０の一辺に相当する部分を非接着部分としていたが、二辺以上に相当する部分を非接着部分としてもよいし、一辺に相当する部分のうち、さらにその一部分のみを非接着部分としてもよい。
【００２７】
電極２０を製造する際には、ＰＥＴ又はＰＰなどの絶縁性を有する材料を矩形の板状に加工した基材層２１に対し、エッチングなどの方法で、基材層２１の一方の表面に金属などの導電性を有する物質で導電層２２を形成する。そして、これら基材層２１及び導電層２２を貫通する孔２３を設ける。そして、電極２０Ｌの導電層２２Ｌに対して例えば両面テープなどの接着手段により弾性部材３０Ｌを接着する。同様に、電極２０Ｕの導電層２２Ｕに対して例えば両面テープなどの接着手段により弾性部材３０Ｕを接着する。このとき、電極２０Ｌの導電層２２Ｌ及び電極２０Ｕの導電層２２Ｕのそれぞれの全面に対して弾性部材３０Ｌ，３０Ｕが接着されていることが望ましい。このように電極２０及び弾性部材３０の接着面をできる限り広くして、両者が一体となったときの剛性を高くすることで、振動体１０がより自由に振動しやすくなる。
【００２８】
そして、Ｚ軸に平行な方向で見たとき図４に示すような位置関係になるようにして、弾性部材３０Ｕと振動体１０とが配置される。振動体１０の各絶縁層１２においては、Ｘ軸の正負方向の各縁とＹ軸の正負方向の各縁から内側へ所定距離離れた数ミリ幅の領域に接着剤が塗布されており、弾性部材３０Ｕと弾性部材３０Ｌとに接着されている。振動体１０の各絶縁層１２において、接着剤が塗布された部分より内側は、弾性部材３０Ｕと弾性部材３０Ｌに固着されていない状態となっている。
【００２９】
これにより、図１〜３に示したように、静電型スピーカ１の各部材が積層され、弾性部材３０Ｕが振動体１０と電極２０Ｕとにそれぞれ接触し、弾性部材３０Ｌが振動体１０と電極２０Ｌとにそれぞれ接触した状態となる。弾性部材３０Ｕと弾性部材３０Ｌとが振動体１０を挟んで支持しているため、振動体１０が駆動されない状態においては、振動体１０は電極２０Ｕと電極２０Ｌとの間の中間の位置に配置される。
【００３０】
次に、配線を行う。振動体１０の導電層１１のうち、前述したように絶縁層１２に接着されていない部分に導線を電気的に接続する。このとき仮に、導電層１１の全面と絶縁層１２の全面とが接着されているとすると、その接着状態を一部解く必要があるため、手間がかかる。また、導電層１１と絶縁層１２との非接着部分が、振動体１０において電極２０Ｕの導電層２２Ｕ及び電極２０Ｌの導電層２２Ｌの間の空間内に位置する領域に含まれる場合には、一定の固さを有する電極２０Ｕ及び電極２０Ｌを互いに離れるようにそれぞれ反らした状態にして導電層１１を露出させるなどの作業が必要となり、これも手間がかかってしまう。これに対して、本実施形態では、電極２０Ｕの導電層２２Ｕ及び電極２０Ｌの導電層２２Ｌの間の空間外において、非接着部分の絶縁層１２をめくるだけで導電層１１が露出するので、導線の接続が容易である。
【００３１】
さらに、電極２０Ｕの導電層２２Ｕ及び電極２０Ｌの導電層２２Ｌに対しても、それぞれ導線を電気的に接続する。そして、振動体１０の導電層１１に接続された導線を、変圧器５０の中点に連結されたバイアス電源７０のバイアス出力端子に接続し、電極２０Ｕの導電層２２Ｕに接続された導線を変圧器５０の出力側の一方の端子に接続し、さらに、電極２０Ｌの導電層２２Ｌに接続された導線を変圧器５０の出力側のもう一方の端子に接続する。これにより、音響信号に対応した信号を電極２０Ｕの導電層２２Ｕと電極２０Ｌの導電層２２Ｌに印加して振動体１０を振動させることができる。
【００３２】
（静電型スピーカ１による効果）
本実施形態に係る静電型スピーカ１の効果について、比較例を用いて説明する。図５（ａ）に示す比較例としての静電型スピーカにおいては、振動体１００の導電層１１０の一方の面にのみ絶縁層１２０が設けられている。また、振動体１００のＸ軸方向の長さと電極２００Ｕ及び電極２００ＬのＸ軸方向の長さとがほぼ同じであり、振動体１００のＹ軸方向の長さと電極２００Ｕ及び電極２００ＬのＹ軸方向の長さとがほぼ同じである。振動体１００の縁部分は針電極と同様であり、その縁部分と電極２００の導電層２０２との間の関係は針電極−平板の関係となるため、縁部分と導電層２０２の平面部分とのギャップ長（図中矢印）が短い場合には、電圧を印加したときに縁部分と導電層２０２との間において放電が発生するときの電圧（以下、限界電圧という）が、振動体１００の平面部分と導電層２０２の平面部分との間（平板−平板の関係）で放電が発生するときの限界電圧より低くなることがある。また、前述したように振動体１００の導電層１１０の一方の面にしか絶縁層１２０が設けられていないことに加え、電極２００Ｕ，２００Ｌには複数の貫通孔が設けられている。従って、振動体１００の導電層１１０と電極２００Ｌの導電層２０２Ｌとのギャップ長（図中矢印）が短い場合には、電圧を印加したときに振動体１００の導電層１１０と、導電層１１０に近いほうの電極２００Ｌの導電層２０２Ｌとの間において放電が発生するときの限界電圧は、振動体１００の平面部分と導電層２０２の平面部分との間（平板−平板の関係）で放電が発生するときの限界電圧より低くなることがある。従って、この構造では、予期せぬ放電の可能性がある。
【００３３】
このような問題に対し、図５（ｂ），（ｃ）に示すように、振動体１００のＸ軸方向の長さと電極２００Ｕ及び電極２００ＬのＸ軸方向の長さとを異ならせるとともに、振動体１００のＹ軸方向の長さと電極２００Ｕ及び電極２００ＬのＹ軸方向の長さとを異ならせるという対策が考えられる。図５（ｂ）の場合、振動体１００のＸ軸方向の長さが電極２００Ｕ及び電極２００ＬのＸ軸方向の長さよりも短く、振動体１００のＹ軸方向の長さが電極２００Ｕ及び電極２００ＬのＹ軸方向の長さよりも短い。しかし、このような構造であっても、縁部分と導電層２０２とのギャップ長が短い場合には、電圧を印加したときに振動体１００の縁部分と導電層２０２との間において放電が発生するときの限界電圧は、振動体１００の平面部分と導電層２０２Ｕ，２０２Ｌの平面部分との間（平板−平板の関係）で放電が発生するときの限界電圧より低くなることがある。また、前述したように振動体１００において導電層１１０の一方の面にしか絶縁層１２０が設けられていないことに加え、電極２００Ｕ，２００Ｌには複数の貫通孔が設けられているため、振動体１００の導電層１１０と電極２００Ｌの導電層２０２Ｌとのギャップ長（図中矢印）が短い場合には、電圧を印加したときに振動体１００の導電層１１０と、導電層１１０に近いほうの電極２００Ｌの導電層２０２Ｌとの間において放電が発生するときの限界電圧が、振動体１００の平面部分と導電層２０２の平面部分との間（平板−平板の関係）で放電が発生するときの限界電圧より低くなることがある。従って、この構造であっても予期せぬ放電の可能性がある。
【００３４】
また、図５（ｃ）の場合、振動体１００のＸ軸方向の長さが電極２００Ｕ及び電極２００ＬのＸ軸方向の長さよりも長く、振動体１００のＹ軸方向の長さが電極２００Ｕ及び電極２００ＬのＹ軸方向の長さよりも長い。しかし、このような構造であっても、前述したように振動体１００の導電層１１０の一方の面にしか絶縁層１２０が設けられていないことに加え、電極２００Ｕ，２００Ｌには複数の貫通孔が設けられているため、振動体１００の導電層１１０と電極２００Ｌの導電層２０２Ｌとのギャップ長（図中矢印）が短い場合には、電圧を印加したときに振動体１００の導電層１１０と、導電層１１０に近いほうの電極２００Ｌの導電層２０２Ｌとの間において放電が発生するときの限界電圧が、振動体１００の平面部分と導電層２０２の平面部分との間（平板−平板の関係）で放電が発生するときの限界電圧より低くなることがある。従って、予期せぬ放電の可能性がある。
【００３５】
また、図５（ａ）の問題に対処するための別の方法として、図５（ｄ）に示すように、振動体１００を、導電層１１０の両側に絶縁層１２０が設けられた構造にすることが考えられる。しかしこの構造であっても、既述のように、縁部分と導電層２０２とのギャップ長が短い場合には、電圧を印加したときに振動体１００の縁部分と導電層２０２との間において放電が発生するときの限界電圧が、振動体１００の平面部分と導電層２０２Ｕ，２０２Ｌの平面部分との間（平板−平板の関係）で放電が発生するときの限界電圧より低くなることがある。従って、この構造であっても予期せぬ放電の可能性がある。
【００３６】
これに対し、本実施形態に係る静電型スピーカ１においては、振動体１０の縁が、対向した電極２０Ｕの導電層２２と電極２０Ｌの導電層２２との間の空間より外側に位置し、振動体１０の縁から導電層２２までのギャップ長を図５（ａ），（ｄ）に比して長くすることができる。このため、振動体１０の縁部分と導電層２２との間の限界電圧が振動体１０の平面部分と導電層２２の平面部分との間の限界電圧と同じ程度にすることが可能となり、これにより、振動体１０の縁部分と導電層２２との間の放電の発生を抑制することができる。併せて、本実施形態に係る静電型スピーカ１においては、振動体１０は、導電層１１の両側に絶縁層１２が設けられた構造になっているため、図５（ａ），（ｂ），（ｃ）で説明したような振動体の導電層と電極の導電層との間の放電の発生を抑制することができる。 これにより、高い電圧を導電層２２に印加して振動体１０に作用する静電力を大きくし、振動体１０の変位量を大きくして、より大きな音圧を得ることが可能となる。
【００３７】
（変形例）
以上、本発明の実施形態について説明したが、本発明は上述した実施形態に限定されることなく、他の様々な形態で実施可能である。例えば、上述の実施形態を以下のように変形して本発明を実施してもよい。
【００３８】
（変形例１）
上述した実施形態においては、電極２０Ｕ及び電極２０Ｌは、絶縁性を有する基材層２１を導電層２２よりも振動体１０に近い側に配置した構造であったが、電極２０Ｕ及び電極２０Ｌのうち少なくともいずれか一方の電極については、導電層２２を基材層２１よりも振動体１０に近い側に配置した構造であってもよい。これにより、以下に述べるように、低域の拡大や音圧の増加などの音響調整が可能となる。
【００３９】
まず、図６（ａ）は、図３と同じ構成を示したものである。図において、絶縁層１２の弾性部材３０Ｕ側の表面と、電極２０Ｕの基材層２１Ｕの弾性部材３０Ｕ側の表面との間の距離を、GAP(SWING)とする。GAP(SWING)は、振動体１０の振幅の物理的な限界を定める値である。また、導電層１１の弾性部材３０Ｕ側の表面と、電極２０Ｕの導電層２２Ｕの弾性部材３０Ｕ側の表面との間の距離を、GAP(E)とする。GAP(E)は、導電層１１と導電層２２Ｕとの電気的なギャップを意味する。
【００４０】
ここで、図６（ｂ）に示すように、図６（ａ）とGAP(E)を同じにしたまま、各電極２０において導電層２２を基材層２１よりも振動体１０に近い側に配置する。これにより、振動体１０の振幅の物理的な限界を定める値でGAP(SWING)_WIDEはGAP(SWING)よりも大きくなる。この場合、GAP(E)が変わらないので、図５（ａ）における振動体１０を振動させるための駆動強度が変わらないまま、振動体１０の振幅大きくすることができるので、全音域中の或る閾値以下の低域が拡大する。
【００４１】
また、図６（ｃ）に示すように、図６（ａ）とGAP(SWING)を同じにしたまま、各電極２０において導電層２２を基材層２１よりも振動体１０に近い側に配置する。この場合、GAP(E)_NARROWは、GAP(E)よりも小さくなるから、導電層１１及び導電層２２Ｕ間の静電容量が大きくなる。これにより、振動体１０による放音音圧が増加する。
【００４２】
なお、図６（ｂ），（ｃ）の例示に限らず、第１電極又は第２電極のうち一方の電極が有する第１導電層又は第２導電層が、当該一方の電極が有する基材層よりも、振動体に近い側に設けられており、第１電極又は第２電極のうち他方の電極が有する第１導電層又は第２導電層が、当該他方の電極が有する基材層よりも、振動体に遠い側に設けられていてもよい。
【００４３】
（変形例２）
弾性部材３０のＸ軸方向の長さは電極２０のＸ軸方向の長さと異なっていてもよいし、弾性部材３０のＹ軸方向の長さは電極２０のＹ軸方向の長さと異なっていてもよい。例えば弾性部材３０のＸ軸方向の長さが振動体１０のＸ軸方向の長さと同じであってもよいし、弾性部材３０のＹ軸方向の長さが振動体１０のＹ軸方向の長さと同じであってもよい。
振動体１０、電極２０及び弾性部材３の形状はそれぞれ矩形に限定されるものではなく、例えば多角形、円形、楕円形など、他の形状であってもよい。
静電型スピーカ１において、接着手段は、接着剤や両面テープに限らない。また、静電型スピーカ１において、積層構造における隣合う部材同士を接着しない構成であってもよい。
【符号の説明】
【００４４】
１・・・静電型スピーカ１・・・振動体、２０Ｕ，２０Ｌ・・・電極、２１・・・基材層、２２・・・導電層、２３・・・貫通孔、３０Ｕ，３０Ｌ・・・弾性部材、５０・・・変圧器、６０・・・入力部、７０・・・バイアス電源。
【図１】
2017050709.tif 000003
【図２】
2017050709.tif 000004
【図３】
2017050709.tif 000005
【図４】
2017050709.tif 000006
【図５】
2017050709.tif 000007
【図６】
2017050709.tif 000008